(57)【要約】【課題】薄型で狭配向を実現可能な照明装置を提供する。【解決手段】照明装置１００において、複数の発光素子２２と、複数の発光素子から出射した光を導光する導光板４０と、導光板の主面４１０側に配された円板状の集光カバー６０とを備え、導光板は導光されてきた光を複数個所において前記主面に向けて光路変更するために、主面と背向する裏面を凹入した複数の凹状反射部４４有し、集光カバーは、複数の凹状反射部の各々と個別に光学的な対向関係を保って配置され且つ各々の凹状反射部からの反射光を主面に垂直な主出射方向に集光する複数のレンズ部６１を有し、凹状反射部４４とレンズ部６１との個別光学的対向関係は、凹状反射部の中心位置が、レンズ部の中心軸よりも導光板の中心に近づくようにズレており、且つ、そのズレ量が導光板の周縁に近いものほど、導光板の中心に存するものより大きく調整されている。【選択図】図５
2014165021.tif 000002
【特許請求の範囲】
【請求項１】
複数の発光素子が基板上に環状に配列された発光部と、
前記発光部の発光素子列と対峙する光導入部と導入した光を環内側方向に導光する円板状の環内導光部とを有した導光板と、
前記導光板の一方の主面側に配された円板状の集光カバーと、
を備え、
前記導光板は、導光されてきた光を複数個所において前記主面に向けて光路変更するために、前記主面と背向する裏面を凹入した複数の凹状反射部を有し、
前記集光カバーは、前記複数の凹状反射部の各々と個別に光学的な対向関係を保って配置され且つ前記各々の凹状反射部からの反射光を前記主面に垂直な主出射方向に集光する複数のレンズ部を有し、
前記凹状反射部と前記レンズ部との個別光学的対向関係は、対向関係にある凹状反射部とレンズ部において、凹状反射部の中心位置がレンズ部の中心軸よりも環内導光部の中心に近づくようにズレており、且つ、そのズレ量が環内導光部の周縁に近いものほど環内導光部の中心に存するものよりも大きく調整されている
ことを特徴とする照明装置。
【請求項２】
前記ずれの量は、前記環内導光部の中心から周縁に向けて漸次増加している
ことを特徴とする請求項１記載の照明装置。
【請求項３】
前記凹状反射部は、前記環内導光部の半径方向に第１の間隔をなす複数の円周からなる第１の同心円の各円周上に配置され、
前記レンズ部は、前記集光カバーの半径方向に第２の間隔をなす複数の円周からなる第２の同心円の各円周上に配置され、
前記第１の同心円の中心位置と第２の同心円の中心位置とは前記主出射方向において重なり、
前記第１の間隔は、前記第２の間隔よりも小さい
ことを特徴とする請求項１又は２の何れかに記載の照明装置。
【請求項４】
前記第１の間隔は、前記導光板の厚みの１．５倍以上２．５倍以下である
ことを特徴とする請求項１から３の何れかに記載の照明装置。
【請求項５】
前記各凹状反射部は前記主面側に頂部を向けた円錐形状であり、前記環内導光部の周縁付近にある前記凹状部は前記環内導光部の中心付近にある前記凹状反射部よりも円錐の高さが高い
ことを特徴とする請求項１から３の何れかに記載の照明装置。
【請求項６】
前記複数のレンズ部は、前記集光カバーを平面視したときに前記複数の凹状反射部の各々と個別に重なるように配置されていることを特徴とする請求項１記載の照明装置。
【発明の詳細な説明】
【技術分野】
【０００１】
本発明は、ＬＥＤ（ｌｉｇｈｔ  ｅｍｉｔｔｉｎｇ  ｄｉｏｄｅ）等の半導体発光素子を光源として備える照明装置に関する。本発明は特に、集光型の照明装置に関する。
【背景技術】
【０００２】
近年、省エネルギーの観点から、高効率・長寿命なＬＥＤ等、半導体発光素子を光源として利用した照明装置が開発されている。特に近年ではＬＥＤ発光モジュールの広い発光面積を利用したダウンライトやスポットライトが提案されている。例えば、特許文献１では、面状発光部を有するＬＥＤ発光モジュールとフレネルレンズを備えた集光型の照明装置８００が提案されている。図２７は、従来の照明装置８００の内部構成を示す断面図である。照明装置８００は、筐体８０１と、筐体８０１の内部に収納された発光モジュール８０２と、光路上に配されたフレネルレンズ８０３とを備える。発光モジュール８０２は板状の基体８０２０と、基体８０２０上に実装された発光素子（ＬＥＤ）８０２１と、発光素子８０２１の前方の配された蛍光体層８０２２とを備える。照明装置８００に電力供給することにより各発光素子８０２１が点灯する。発光素子８０２１から出射された光Ｌ1、Ｌ2はフレネルレンズ８０３を透過する。光Ｌ1、Ｌ2はフレネルレンズ８０３にて平行光に調整され、外部に照射される。
【先行技術文献】
【特許文献】
【０００３】
【特許文献１】特開２０１２−１１４０２２号公報
【発明の概要】
【発明が解決しようとする課題】
【０００４】
しかしながら従来の集光方式の照明装置では、一定の配光角で集光するために光源からレンズまでの間に所定の長さの光路を確保することが必要である。その結果、照明装置の薄型化と狭配向とを同時に実現することは難しかった。
例えば、特許文献１記載の従来の照明装置８００では、配向性を評価するための指標のひとつである１／２ビーム角を４５°とした場合には、光源の発光部からレンズ表面までの光路長に２７ｍｍの長さが必要であった。他方、上記光路長を１０ｍｍに短縮した場合には１／２ビーム角は１００°となり、薄型と狭配向との両立に向けては、さらなる改善が必要であった。
【０００５】
本発明は上記課題に鑑みてなされたものであって、薄型で狭配向を実現可能な照明装置を提供することを目的とする。
【課題を解決するための手段】
【０００６】
上記目的を達成するために、本発明の一態様に係る照明装置は、複数の発光素子が基板上に環状に配列された発光部と、前記発光部の発光素子列と対峙する光導入部と導入した光を環内側方向に導光する円板状の環内導光部とを有した導光板と、前記導光板の一方の主面側に配された円板状の集光カバーと、
を備え、前記導光板は、導光されてきた光を複数個所において前記主面に向けて光路変更するために、前記主面と背向する裏面を凹入した複数の凹状反射部を有し、前記集光カバーは、前記複数の凹状反射部の各々と個別に光学的な対向関係を保って配置され且つ前記各々の凹状反射部からの反射光を前記主面に垂直な主出射方向に集光する複数のレンズ部を有し、前記凹状反射部と前記レンズ部との個別光学的対向関係は、対向関係にある凹状反射部とレンズ部において、凹状反射部の中心位置がレンズ部の中心軸よりも環内導光部の中心に近づくようにズレており、且つ、そのズレ量が環内導光部の周縁に近いものほど環内導光部の中心に存するものよりも大きく調整されていることを特徴とする。
【０００７】
また、別の態様では、前記ずれの量は、前記環内導光部の中心から周縁に向けて漸次増加している構成であってもよい。
また、別の態様では、前記凹状反射部は、前記環内導光部の半径方向に第１の間隔をなす複数の円周からなる第１の同心円の各円周上に配置され、前記レンズ部は、前記集光カバーの半径方向に第２の間隔をなす複数の円周からなる第２の同心円の各円周上に配置され、前記第１の同心円の中心位置と第２の同心円の中心位置とは前記主出射方向において重なり、前記第１の間隔は、前記第２の間隔よりも小さい構成であってもよい。
【０００８】
また、別の態様では、前記第１の間隔は、前記導光板の厚みの１．５倍以上２．５倍以下である構成であってもよい。
また、別の態様では、前記各凹状反射部は前記主面側に頂部を向けた円錐形状であり、前記環内部の周縁付近にある前記凹状部は前記環内部の中心付近にある前記凹状反射部よりも円錐の高さが高い構成であってもよい。
【０００９】
また、別の態様では、前記複数のレンズ部は、前記集光カバーを平面視したときに前記複数の凹状反射部の各々と個別に重なるように配置されていることを特徴とする構成であってもよい。
【発明の効果】
【００１０】
本発明の一態様に係る照明装置では、上記構成により、発光素子からレンズ部に至る光路の短縮を図れる。この光路の短縮によって照明装置の薄型化を実現できる。さらに、集光カバーの異なる位置から出射される光の配向特性を異ならせて、各々の照度分布における凹凸が互いに補完されるように重畳させることができる。これにより、集光型の照明装置において配向角０°付近での照度の落ち込みを改善し狭配向を実現することができる。
【図面の簡単な説明】
【００１１】
【図１】想定される照明装置である照明装置９００の構成を示す断面図である。（ａ）は照明装置９００の全体の断面図である。（ｂ）は（ａ）の領域Ａの拡大断面図である。
【図２】想定される照明装置である照明装置９００における導光板４０と集光カバー６０における集光原理の説明図であり、（ａ）は集光カバー６０の中央部付近、（ｂ）は左端周辺部、（ｃ）は右端周辺部、（ｄ）は全体の総和を示す。
【図３】実施の形態に係る照明装置１００の構成及び設置例を示す、一部断面図である。
【図４】照明器具１の外観構成と内部構成を示す図である。
【図５】照明器具１の平面図である。
【図６】照明器具１の内部構成を示す分解図（組立図）である。
【図７】照明器具１の内部構成を示す断面図である。
【図８】（ａ）は、照明器具１の反射部材３０の平面図、（ｂ）は、（ａ）における断面Ａ−Ａで切断した断面図、（ｃ）は裏面図である。
【図９】（ａ）は、照明器具１の導光板４０の構成を示す斜視図である。（ｂ）は、（ａ）におけるＥ部拡大図である。
【図１０】（ａ）は、図７におけるＢ部を示す拡大断面図、（ｂ）は（ａ）におけるＦ部を示す拡大断面図である。
【図１１】図７におけるＣ部を示す拡大断面図である。
【図１２】照明器具１の導光板４０における凹状反射部４４の断面形状を示す模式図である。
【図１３】（ａ）は、照明器具１の集光カバー６０の平面図、（ｂ）は、（ａ）におけるＧ部拡大図、（ｃ）は側面図、（ｄ）は裏面図である。
【図１４】照明器具１の集光カバー６０におけるレンズ部６１と導光板４０における凹状反射部４４の断面を示す模式図である。
【図１５】照明器具１の導光板４０の凹状反射部４４と集光カバー６０のレンズ部６１のＸＹ方向の配置を示した説明図である。
【図１６】図７におけるＤ部を示す拡大断面図である。
【図１７】照明装置１００における導光板４０と集光カバー６０における集光原理の説明図であり、（ａ）は集光カバー６０の中央部付近、（ｂ）は左端周辺部、（ｃ）は右端周辺部、（ｄ）は全体の総和を示す。
【図１８】照明装置１００のレンズ領域６３内の位置ごとの配向特性の計算に用いたマスキングパターン７００を示す模式図である。
【図１９】照明装置１００の配向特性の計算結果を示す特性図、（ａ）は導光板４０の環内部４１の中心からφ２０ｍｍ範囲からの照明光を、（ｂ）は環内部４１の中心から１０ｍｍ離れた位置を中心とするφ２０ｍｍ範囲からの照明光を（ｃ）は２０ｍｍ離れた位置を中心とするφ２０ｍｍ範囲からの照明光、（ｄ）は３０ｍｍ離れた位置を中心とするφ２０ｍｍ範囲からの照明光の配向特性である。
【図２０】照明装置１００における集光カバー６０全面から照射される光の配向特性を示す特性図である。
【図２１】照明装置１００において、レンズ部６１のピッチＰ61に対する凹状反射部４４のピッチをＰ44比率を変化させた場合の集光カバー６０全面から照射される光の配向特性の変化を示す特性図である。
【図２２】照明装置１００の配向特性の計算結果を示す特性図である。
【図２３】照明装置１００の比較例の配向特性の計算結果を示す特性図である。
【図２４】照明装置１００の配向特性の計算結果を示す特性図である。
【図２５】変形例に係る照明装置１００Ａにおいて、照明装置１００に係る図７のＤ部と同じ部分を示す拡大断面図である。
【図２６】変形例に係る照明装置１００Ａにおける導光板４０と集光カバー６０における集光原理の説明図であり、（ａ）は比較例における集光カバー６０の中央部付近、（ｂ）は変形例における中央部付近、（ｃ）は変形例における周辺部の状態を示す。
【図２７】従来の照明装置８００の内部構成を示す断面図である。
【発明を実施するための形態】
【００１２】
≪発明を実施するための形態に至る経緯≫
特許文献１に記載の照明装置９００では、配光の度合いを示す一つの尺度である１／２照度角は４５°であった。集光型の照明装置として更なる集光特性の向上が望まれる。ここで、１／２照度角とは、光源の直下照度の１／２の照度になる点と光源中心を結んだ線と光源中心の鉛直方向線とのなす角度を指す。
【００１３】
これに対し、発明者らは例えば図１（ａ）の断面図に示す照明装置９００の構成を想定した。図１は、想定される照明装置である照明装置９００の構成を示す断面図である。（ａ）は照明装置９００の全体の断面図である。（ｂ）は（ａ）の領域Ａの拡大断面図である。図１（ａ）に示すとおり、照明装置９００は、ベース９１０と、ベース９１０に配された実装基板９２０と、実装基板９２０上に配された反射部材９３０と、反射部材９３０上に配された導光板９４０とを有する。さらに照明装置９００は、導光板９４０上に配された集光カバー９６０と、集光カバー９６０の周囲を覆う拡散カバー９５０とを有する。実装基板９２０は基板表面に複数の半導体発光素子（ＬＥＤ）９２２が実装されてなる。図１（ａ）の領域Ａの拡大断面図である図１（ｂ）に示すように、導光板９４０は、反射部材９３０と対向する裏面を厚み方向に凹入してなる円錐状の凹状反射部９４４を複数有する。集光カバー９６０は、各々の凹状反射部９４４と重なる位置に微小なレンズ部９６１を複数有する。
【００１４】
この照明装置９００では図１（ｂ）のように、発光素子９２２から導光板９４０に入射された光Ｌ3、Ｌ4が凹状反射部９４４の斜面でレンズ部９６１側に反射される。光Ｌ3、Ｌ4は凹状反射部９４４の真上のレンズ部９６１で集光されて照明光となる。照明装置９００では導光板９４０と凹状反射部９４４とを用いてレンズ部９６１に近距離より平行光を入射できる。これにより各凹状反射部９４４の真上に微小なレンズ部９６１を近接することで光の拡散を防止でき、良好な集光効果を期待することができる。
【００１５】
ところで、照明装置９００では、凹状反射部９４４から反射された光が光学的対向関係を有するレンズ部９６１で集光された後、対象面上に照射される。その際、複数のレンズ部９６１から照射される光が、対象面上に重ねられて照射される。そのため、凹状反射部９４４及びレンズ部９６１からなる個別の光学系が形成する照度分布が、照明装置９００全体の照度分布に影響するという特性がある。
【００１６】
図２は、想定される照明装置である照明装置９００における導光板９４０と集光カバー９６０における集光原理の説明図であり、（ａ）は集光カバー９６０の中央部付近、（ｂ）は左端周辺部、（ｃ）は右端周辺部、（ｄ）は全体の総和を示す。図２（ａ）に示すように、発光素子９２２の出射光は導光板９４０の裏面９４１１に形成された凹状反射部９４４によって出射面９４１０の方向に反射される。そのとき、凹状反射部９４４の反射面は中心軸９４４Ａからずれた位置にあり、そこから反射される光、例えばｑ１、ｑ２、ｑ３、ｑ４或はｒ１、ｒ２、ｒ３、ｒ４の光は集光カバー９６０に入射後、レンズ部９６１により主出射方向前方に対して傾いた光に変換される。そのため、円推形状の凹状反射部９４４から出射される光の強度のピークは配向角０°から少しずれた位置に形成される。例えば、凹状反射部９４４における円錐の底面の直径が０．８ｍｍの場合、配向角約±５°の角度に出射光の強度のピークが発生する。
【００１７】
ここで、集光カバー６０の中央部付近では発光素子９２２からの距離は左右でほぼ等しく、凹状反射部４４に入光する光は左右ほぼ等しい。そのため、対象面上には均等な２つの照度のピークが形成される。このピーク間距離Ｘ0は、例えば約２ｍの距離Ｚ2000の位置にある対称面上において数十ｃｍとなる。
次に図２（ｂ）に示すように、集光カバー９６０の左端部周辺に位置する導光板９４０の凹状反射部９４４で反射された光も同様に集光される。このとき、集光カバー９６０の左端部周辺では発光素子９２２からの距離が左右で異なり、左側の発光素子９２２からの距離が短く、右側の発光素子９２２からの距離が大きい。そのため、左側から凹状反射部９４４に入光する光は、右側から入光する光に比べて光束が大きく、ｔ１、ｔ２、ｔ３、ｔ４に基づき対象面上にはほぼ＋５°にのみ照度のピークが形成される。
【００１８】
さらに図２（ｃ）に示すように、集光カバー９６０の右端部周辺に位置する導光板９４０の凹状反射部９４４で反射された光も同様に集光される。このとき、集光カバー９６０の右端部周辺では右側の発光素子９２２からの距離が小さく左側の発光素子９２２からの距離が大きい。そのため、右側から凹状反射部９４４に入光する光は、左側から入光する光に比べて光束が大きく、ｕ１、ｕ２、ｕ３、ｕ４に基づき対象面上にはほぼ−５°にのみ照度のピークが形成される。
【００１９】
そして、図２（ａ）ないしは（ｃ）に示す照度分布を重畳すると、照明装置９００として、図２（ｄ）に示すような、配向角０°付近での照度の落ち込みが発生し対象面上には均等な２つの大きな照度のピークが形成される。この現象をリング状照度分布といい、照明装置９００にはさらなる改善の余地がある。
そこで、発明者らは、複数のレンズ部を有する集光カバーと、複数の凹状反射部を有する導光板とを備える構成において、照射対象面上の照度分布を適正化する技術について鋭意検討を行い、本発明の実施の形態に係る照明装置に想到するに至った。
【００２０】
以下、本発明の実施の形態に係る照明装置について、図面を参照しながら説明する。
≪実施の形態≫
＜照明装置１００の構成＞
図３は、実施の形態に係る照明装置１００の構成及び設置例を示す、一部断面図である。照明装置１００は、ＸＹ平面に平行な円板形状をなし、Ｚ方向を主出射方向とする。図３に示すように、照明装置１００は、照明器具１と、板バネ状の掛止部材３と、照明器具１を点灯させる電源ユニット４とを備えてなる。照明器具１は配線２３により電源ユニット４と電気接続されている。掛止部材３は照明器具１の背面側にあるベース１０に取着される。実施の形態では、照明装置１００を天井に埋設する外径約１３６ｍｍのダウンライトとしている。
【００２１】
照明装置１００を設置する際には、天井２に設けた貫通孔２ａを介し、天井２の裏面２ｂに電源ユニット４を載置する。貫通孔２ａに対し、照明器具１をベース１０が収納されるように配置する。このとき貫通孔２ａの周縁に掛止部材３を掛止させる。これにより照明装置１００を天井２に設置できる。
図４は、実施の形態に係る照明器具１の外観構成と内部構成を示す図である。図５は照明器具１の平面図である。図４及び図５に示すように、照明器具１は、外観構成はおよそベース１０と点Ｏを中心とした円板形状の集光カバー６０及びその周囲に設けられた円環状の拡散カバー５０とで構成される。ベース１０の切欠部１６からは配線２３が外部に延出される。点ＯはＸＹ平面における照明器具１の中心を構成する。
【００２２】
尚、図４中の点線は、内蔵された実装基板２０と、発光素子２２と、基板本体２１の位置を示す。
＜照明器具１の構成＞
図６は、実施の形態に係る照明器具１の内部構成を示す分解図（組立図）である。図７は、実施の形態に係る照明器具１の内部構成を示す断面図である。図６及び図７に示すように、照明器具１は、ベース１０と、実装基板２０と、反射部材３０と、導光板４０と、拡散カバー５０と、集光カバー６０とを有してなる。照明器具１は円板状の全体形状を有する。ベース１０と、実装基板２０と、反射部材３０と、導光板４０と、拡散カバー５０の各外周形状は、照明器具１の全体形状に合わせて円形に形成される。
【００２３】
導光板４０と集光カバー６０はお互いに接しており、導光板４０の厚み１．５ｍｍに対して、集光カバー６０の最大厚みは２．５ｍｍで構成されている。導光板４０の厚みが更に薄くなれば、それに比例して集光カバー６０の厚みを薄くすることが可能である。
（ベース１０）
ベース１０は放熱特性に優れる材料、例えばアルミダイキャスト材料等の金属材料で構成される。ベース１０は、中央側が深く周縁側が浅い二段底構造を有する本体部１１と、本体部１１の周囲に立設されたフランジ部１２とを有する（図６）。フランジ部１２には切欠部１６が存在する。
【００２４】
本体部１１は、その中央側から周縁側に向けて、底が深い円板状の内側底部１３と、底が浅い内側底部１３と内側底部１３の周縁に立設された側壁部１４と、側壁部１４の周囲に配された環状の外側底部１５とを有する。
内側底部１３には実装基板２０と反射部材３０とが順次重ねて載置される。外側底部１５には導光板４０の環状外周部４３が載置される。
【００２５】
フランジ部１２はそのＺ方向頂部付近において、拡散カバー５０の側壁部５２と例えば接着剤やシール部材を用いて接合される。
（実装基板２０）
実装基板２０は、環状の基板本体２１と、基板本体２１の表面（図６では反射部材３０と対向する上面）に実装された複数の発光素子２２と、配線２３とを有し発光部を構成する。
【００２６】
基板本体２１は、例えば、セラミック材料や熱伝導樹脂等からなる絶縁層と、アルミニウム等からなる金属層とを積層した２層構造を有する。基板本体２１の表面には発光素子２２と配線２３とを電気接続するための配線パターン（不図示）が形成されている。基板本体２１の外径は側壁部１４の内径とほぼ一致させている。
発光素子２２は、一例としてＬＥＤ素子を用いてなる。図７におけるＢ部を示す拡大断面図（図１０）に示すように、発光素子２２は素子本体２２０と、素子本体２２０を収納する素子筐体２２１とを有する。発光素子２２は、基板本体２１の上面に対し、主な出射方向が垂直（Ｚ）方向を向くように、互いに一定間隔をおいて円環状の素子列を形成して実装される。実装基板２０では、一例として合計１８個の発光素子２２が配線パターンに対し、ＣＯＢ（Ｃｈｉｐ  ｏｎ  Ｂｏａｒｄ）技術を用いてフェイスアップ実装される。素子列の直径は約９０ｍｍである。
【００２７】
尚、基板本体２１の上面は、発光素子２２の出射光を効率良く導光板４０側へ反射させるために反射面となっている。
配線２３は、電源ユニット４側より発光素子２２に電力供給を行うために用いられる。配線２３の両端は、基板本体２１の配線パターンと、電源ユニット４とに電気接続される。
【００２８】
（反射部材３０）
反射部材３０は、発光素子２２からの出射光と導光板４０から漏れ出た光とを効率よく導光板４０側に反射する目的で配設する円板状の板状部材である。照明器具１において、反射部材３０は実装基板２０と導光板４０との間に挟設される。反射部材３０は、高反射特性を有する材料、例えば高光反射性ポリブチレンテレフタレート（ＰＢＴ）樹脂、高反射ポリカーボネート（ＰＣ）樹脂、高光反射性ナイロン樹脂、高光反射性発泡樹脂等の何れかを用いて構成される。これらの樹脂材料を用いて反射部材３０を射出成形することで、高精度で反射部材３０を構成することができる。反射部材３０は、少なくともその表面において反射特性を有していればよい。
【００２９】
図８（ａ）は、実施の形態に係る照明器具１の反射部材３０の平面図、（ｂ）は、（ａ）における断面Ａ−Ａで切断した断面図、（ｃ）は裏面図である。図８に示すように、反射部材３０は中央側から外側に向けて、内側反射部３１と、凹入部３２と、外側反射部３３とを有する。反射部材３０の外径は側壁部１４の内径とほぼ一致させている。内側反射部３１と外側反射部３３とはそれぞれ上面３１０、３３０を有する（図８（ｂ））。
【００３０】
内側反射部３１（外側反射部３３）は、実装基板２０の発光素子２２の実装位置より内側（外側）の位置に設けられる（図７）。内側反射部３１（外側反射部３３）は、導光板４０より漏れた光を、上面３１０（３２０）において再度、導光板４０側に反射させるための部位である。
凹入部３２は、実装基板２０における各発光素子２２の実装位置の真上に対応する領域に設けられる。反射部材３０を平面視する際、凹入部３２は、反射部材３０の上面（導光板４０との対向面）における一定半径の円周領域を厚み（Ｚ）方向に凹入させてなる（図８（ｂ））。
【００３１】
凹入部３２の内部には、図７、図８（ａ）、（ｂ）、（ｃ）、図１０に示すように、その円周方向に沿って、反射部材３０の厚み方向に貫通する複数の開口３４が一定間隔をおいて存在する。開口３４は、実装基板２０の発光素子２２の実装位置の真上に存在する。開口３４では、Ｙ方向に沿って開口３４を挟む両側には、発光素子２２の出射光を反射する一対の側壁３４２、３４３が存在する。側壁３４２、３４３は図１０に示すように、Ｙ方向に沿って開口３４の周縁を形成し、開口幅Ｗ34をおいて互いに近接される。この開口幅Ｗ34は発光素子２２の幅Ｗ22と略等しいが、発光素子２２が開口３４に緩挿される程度に幅Ｗ22は開口幅Ｗ34よりも小さく構成されている。
【００３２】
反射部材３０は、上面３１０の中央に、後述する導光板の凸部４６が緩挿される凹部３６を有する。この凹部３６に導光板４０の後述する凸部４６が緩挿されることにより導光板４０の反射部材３０に対する位置が規制される。
また、反射部材３０の上面３１０に配向する裏面には、ベース１０に対しネジ７０により締結されるためのネジ穴３８を有するボス３７が形成されている。ベース１０の穴１７を挿通するネジ７０が反射部材３０のボス３７におけるネジ穴３８に螺合することにより、反射部材３０はベース１０に固定される。
【００３３】
尚、図８（ｂ）に示すように、凹入部３２及び外側反射部３３に背向する裏面３５は実装基板２０の基板本体２１の表面形状に合わせた平坦面としている。
（導光板４０）
［全体構成］
導光板４０は、発光素子２２の出射光を主としてＸＹ平面方向に導光し、集光カバー６０側及び拡散カバー５０（Ｚ方向）側に面発光させるために用いる。
【００３４】
図９（ａ）は、実施の形態に係る照明装置１００の導光板４０の構成を示す斜視図である。（ｂ）は、（ａ）におけるＥ部拡大図である。導光板４０は、図７及び図９に示すように、反射部材３０の実装基板２０との対向側とは反対側に配置される。導光板４０の材料としては透光性に優れる材料、例えばアクリル樹脂、ポリカーボネート樹脂、ポリスチレン樹脂、ガラス等を挙げられる。本実施の形態では、アクリル樹脂としてポリメタクリル酸メチル樹脂を用いた。これらの材料を用いて導光板４０を射出成形することで、反射部材３０と同様に、高精度で導光板４０を構成できる。
【００３５】
導光板４０は円形板状であって、発光素子２２からなる素子列に沿って円環状に形成された環状部４２と、環状部４２の環内側に環状部４２と連続して形成された円板状の環内部４１を備える。さらに、環状部４２の環外側に環状部４２と連続して形成された円環状の環状外周部４３を備える。図７および図１０において、符号Ｗ42で示す範囲が環状部４２であり、符号Ｗ41で示す範囲が環内部４１であり、符号Ｗ43で示す範囲が環状外周部４３である。本実施の形態では、Ｗ41からＷ43までを合わせた導光板４０の外径は約１２８ｍｍであり、環内部４１の直径は約８０ｍｍである。
【００３６】
導光板４０の外径は側壁部１４の内径とほぼ一致させている。環内部４１の反射部材３０側の面中央には凸部４６を有する。この凸部４６を反射部材３０の凹部３６に導光板４０の緩挿することにより、反射部材３０と導光板４０との配置関係では位置ずれ誤差を無視できる程度に小さくできる。
また、導光板４０は、集光カバー６０側の面における環内部４１の外縁よりも少し内側に、後述する集光カバー６０の凸部６２を緩挿するための凹部４７を複数有する（図６）。本実施の形態では、例えば、この凹部４７は、円板形状の導光板４０の中心を基準に、約１２０°ずつ円周角を異ならせて３か所設けられている。そして、この凹部４７は、導光板４０と集光カバー６０とを重ねた合わせた状態で後述するレンズ部６１の中心とＺ方向において重なる位置に配置されている。
【００３７】
また、導光板４０では一例として、環内部４１の各外表面が、環状外周部４３の各外表面よりも高く設定される（図７）。また、環内部４１、環状外周部４３の厚みも同一に設定されている。
［環状部４２］
環状部４２は、発光素子２２の出射光を入光し導光板４０の内側と外側とに導光させる部位である。照明器具１において、環状部４２は反射部材３０の凹入部３２に挿入される（図７）。これにより環状部４２は、実装基板２０上の各発光素子２２の実装位置を結ぶように連続的に形成される。
【００３８】
図１０（ａ）は、図７におけるＢ部を示す拡大断面図、（ｂ）は（ａ）におけるＦ部を示す拡大断面図である。具体的な構成として、環状部４２は図１０に示すように、素子対向部４２０と、外側反射部４２２Ａと、内側反射部４２２Ｂと、外側反射部４２２Ａと内側反射部４２２Ｂ間に存在する境界部４２３とを有する。環状部４２は、全体的な形状としては図７、図１０に示すように、一定の厚みを持つ略Ｖ字断面形状を有する。Ｙ方向に沿った環状部４２の両側には、外側反射部４２２Ａ及び内側反射部４２２Ｂと反対側に、外側反射部４２２Ａ及び内側反射部４２２Ｂと同様の傾斜面を有する外側側面部４２４Ａ及び内側側面部４２４Ｂが存在する（図１０）。
【００３９】
素子対向部４２０は、発光素子２２と近接配置され、且つ、発光素子２２の出射面と対向配置される部位であり光導入部を構成する。発光素子２２と対向する素子対向部４２０の表面形状は、ここでは一例として平坦面としている（図９（ｂ））。従って素子対向部４２０はＹ方向に沿って、幅Ｗ420を挟んで両側に位置する端部（入光端部４２０Ａ、４２０Ｂ）を有する（図１０）。ここで、素子対向部４２０の幅Ｗ420は、反射部材３０における開口３４の開口幅Ｗ34と略同一である。そして、導光板４０の素子対向部４２０と反射部材３０の側壁３４２、３４３との開口幅Ｗ34とが互いに対向するように位置関係が設定されている。これは、開口３４において、発光素子２２の出射光量が発散することなく、導光板４０に導光するように設定したものである。
【００４０】
外側反射部４２２Ａ及び内側反射部４２２Ｂは、導光板４０において、素子対向部４２０が形成された面と反対側の面（図１０では上面）に配設される。外側反射部４２２Ａ及び内側反射部４２２Ｂは、具体的には垂直（Ｚ）方向に対し、素子対向部４２０より遠ざかるにつれて滑らかに傾斜角度が増大する傾斜面を有する。さらに外側反射部４２２Ａ及び内側反射部４２２Ｂは、垂直（Ｚ）方向に対して互いに略線対称の形状を有する。外側反射部４２２Ａ及び内側反射部４２２Ｂは上記のような傾斜面を有することで、素子対向部４２０より直上（Ｚ）方向に沿って入射した入射光をその表面において正反射させ、導光板４０内に効率よく導光させることができる。
【００４１】
境界部４２３は、外側反射部４２２Ａと内側反射部４２２Ｂの間にある突起形状であって、境界部４２３のサイズをできるだけ小さくしている。これにより、照明装置１００の駆動時に発光素子２２からの出射光が境界部４２３を突き抜けて直接光となりにくいように調整されている。
境界部４２３は、入光端部４２０Ａと入光端部４２０Ｂを結ぶ線分上の入光端部４２０Ａ側からほぼ１：９に内分した点４２０ＣのＺ方向上方に位置する。そのため、Ｘ方向において境界部４２３は発光素子２２の中心からδだけ左方に位置する。本δは、発光素子２２の幅Ｗ22に対して、０．６〜０．７倍の範囲であることが好ましい。これにより、素子対向部４２０から入光した光は、ほぼ１：９の割合で各々外側反射部４２２Ａ及び内側反射部４２２Ｂに導かれ、ほぼ１：９の割合で各々環状外周部４３及び環内部４１に導光されるよう調整されている。
【００４２】
環状部４２の外側反射部４２２Ａ及び内側反射部４２２Ｂ、外側側面部４２４Ａ及び内側側面部４２４Ｂには、光反射処理が施されている。光散乱処理が施されているため、素子対向部４２０に入射した光は全反射され、環状外周部４３及び環内部４１に導光される。
［環内部４１］
環内部４１は、環状部４２より導光板４０の内部に入射された発光素子２２の光を発光素子２２の実装位置よりも内側に導光し、Ｚ方向に向けて反射させる部位であり円板状の環内導光部を構成する。
【００４３】
環内部４１のＺ方向側を向いた出射面４１０は、環内部４１内を導光される光が全反射するよう反射処理がされている。また、一定角度以上で環内部４１内に入射した光の一部が出射する光出射面となっている。
環内部４１の出射面４１０の裏側の裏面４１１にも、環内部４１内を導光される光が全反射するよう反射処理がされている。併せて、環内部４１内に導光される光を出射面４１０側に反射させるために、裏面４１１の一部を凹入させてなる複数の凹状反射部４４が設けられている。したがって、環状部４２から環内部４１に入射した光は環内部４１内を導光され凹状反射部４４において出射面４１０側に反射され、出射面４１０からＺ方向に出射される。
【００４４】
凹状反射部４４は、図７に示すように、環内部４１の裏面４１１において等ピッチで単位面積当たりの個数が略均一となるように配設されており、これにより出射面４１０から全体から均一に光が出射されるようになっている。本実施の形態では、凹状反射部４４は、半径方向におけるピッチを約３ｍｍとし、環内部４１の範囲Ｗ41にわたり２６列配置されている。環内部４１における凹状反射部４４の総個数は４９１個である。凹状反射部４４の形状の詳細については後述する。
【００４５】
［環状外周部４３］
環状外周部４３は、環状部４２より導光板４０の内部に入射された発光素子２２の光を発光素子２２の実装位置よりも外側に導光し、Ｚ方向に向けて反射させる部位であり環状導光部を構成する。環状外周部４３の外周縁部は、ベース１０の本体部１１上に載置された状態で、本体部１１と拡散カバー５０の側壁部５２とで挟持されている。
【００４６】
環状外周部４３のＺ方向側の面は出射面４３０であり、環状外周部４３内を導光される光が全反射するよう反射処理がされている。また、一定角度以上で環状外周部４３内に入射した光の一部が出射する光出射面となっている。
環状外周部４３の出射面４３０の裏側の面４３１にも、環状外周部４３内を導光される光が全反射するよう反射処理がされている。併せて、環状外周部４３内に導光される光を出射面４３０側に反射させるために、面４３１の一部を凹入させてなる複数の凹状反射部４５が設けられている。したがって、環状部４２から環状外周部４３に入射した光は環状外周部４３内を導光され凹状反射部４５において出射面４３０側に反射され、出射面４３０からＺ方向に出射される。
【００４７】
凹状反射部４５は、図７に示すように、環状外周部４３の面４３１において等ピッチで単位面積当たりの個数が略均一となるように配設されており、これにより出射面４３０から全体から均一に光が出射されるようになっている。本実施の形態では、凹状反射部４４は、半径方向におけるピッチを約１．７ｍｍとし、環状外周部４３の範囲Ｗ43において片側８列（左右両側では１６列）配置されている。環状外周部４３における凹状反射部４５の総個数は１５７１個である。凹状反射部４５の形状は後述する凹状反射部４４の形状と同じである。
［凹状反射部４４］
図１１は、図７におけるＣ部を示す拡大断面図である。図１１に示すように、導光板４０の裏面には、裏面４１１の一部を凹入させてなる複数の凹状反射部４４が設けられている。凹状反射部４４は、出射面４１０側に頂部を向けた円錐形状の凹陥部である。したがって、円錐の底面に当たる部分は、裏面４１１に開いた開口である。ここで、ＸＹ平面方向においては、ＸＹ方向を平面視したときに複数の凹状反射部４４の各々とレンズ部６１とが個別に光学的な対向関係を保って配置されていることが必要である。「光学的な対向関係を保って配置」されているとは、凹状反射部４４で反射されレンズ部６１に入光した光が照明光として集光する位置関係にあって、さらに以下の関係にあることを指す。すなわち、対向関係にある凹状反射部４４とレンズ部６１において凹状反射部４４の中心位置４４Ａが、レンズ部６１の中心軸６１Ａよりも導光板４０の中心に近づくようにズレて配置されている。その上で、そのズレ量が導光板４０の周縁に近いものほど、導光板の中心に存するものよりも大きく調整されている関係にあることを指す。そして、凹状反射部４４は、集光カバー６０のレンズ部６１と同数設けられている。
【００４８】
なお、凹状反射部４４とレンズ部６１との位置関係は、凹状反射部４４からの反射光を主面に垂直な主出射方向に集光できる構成であれば上記態様に限られず変更可能である。
図１２は、照明器具１の導光板４０における凹状反射部４４の断面形状を示す模式図である。導光板４０の板厚ｔ1は、本実施の形態では約１．５ｍｍである。凹状反射部４４は、円錐角θ、高さｈ、中心軸を４４Ａとする円錐形状の凹陥部である。円錐の部分は底面を開口とする空間である。θは、７６°±１°、ｈは、０．４以上０．７ｍｍ以下、先端のｒは、約０．１ｍｍとした。しかしながら、上記は一例であって、凹状反射部４４の形状は、上記に限られない。例えば、導光板４０の材料の屈折率を考慮して、凹状反射部４４の円錐角を調整することができる。
【００４９】
なお、環内部４１および環状外周部４３に施される光反射部は上記に限定されず変形例にて後述するように変更可能である。
（集光カバー６０）
［全体構成］
集光カバー６０は、導光板４０から出射される光を入射してＺ方向に出射して集光させるために用いる。集光カバー６０は透光性材料、例えばシリコーン樹脂、アクリル樹脂、ポリカーボネート樹脂、ガラス等を用いて構成される。本実施の形態では、アクリル樹脂としてポリメタクリル酸メチル樹脂を用いた。
【００５０】
図１３は、（ａ）は、照明器具１の集光カバー６０の平面図、（ｂ）は、（ａ）におけるＧ部拡大図、（ｃ）は側面図、（ｄ）は裏面図である。図７及び図１３に示すように、集光カバー６０は点６００Ａを中心とする円板形状であり、導光板４０の環内部４１の出射面４１０を覆うレンズ領域６３と、レンズ領域の外周に位置する周縁部６４とを有する。図７および図１３において、符号Ｗ63で示す範囲がレンズ領域６３であり、符号Ｗ64で示す範囲が周縁部６４である。本実施の形態では、レンズ領域６３は約８０ｍｍである。集光カバー６０の中心６００Ａは、ＸＹ平面における照明器具１の中心０（図５）と同一の位置にある。
【００５１】
集光カバー６０は、裏面６５を導光板４０の出射面４１０に接触させ、周縁部６４を後述する拡散カバー５０の裏面５１１に当接させた状態で、導光板４０と拡散カバー５０との間に挟設される。このとき、集光カバー６０のレンズ領域６３は拡散カバー５０の開口５３に適合し、レンズ領域６３は開口５３から露出した状態となる（図７）。
集光カバー６０は、裏面６５における周縁部６４よりも内方に、上述した導光板の凹部４７に緩挿される凸部６２を複数有する。この凹部３６に導光板４０の後述する凸部４６が緩挿されることにより導光板４０の反射部材３０に対する位置が規制される。本実施の形態では、例えば、凸部６２は、レンズ領域６３の中心６００Ａを基準に、約１２０°ずつ円周角を異ならせて３か所設けられている。尚、凸部６２は、後述するレンズ部６１の中心に各々配置される。これは、配向特性上、レンズ部６１の中心が凸部６２に起因する照度のムラが最も目立たない位置であるからである。
【００５２】
［レンズ部６１］
レンズ部６１の平面方向における配置について説明する。図１３（ａ）に示すように、集光カバー６０のレンズ領域６３は、複数のレンズ部６１を有する。図１３（ｂ）に示すように、レンズ部６１は、レンズ領域６３の中心６００Ａを基準に、円周間のピッチをｐとする同心円の円周状にレンズ部６１の中心が位置するように配置される。また、各円周上には、隣接するレンズ部６１の中心間の円弧上の距離がピッチｐと最も近くなる個数のレンズ部６１が配置される。本実施の形態では、中心６００Ａから１列目の円周上にはレンズ部６１が６個配置され、２列目の円周上にはレンズ部６１が１３個配置される構成を採る。また、レンズ部６１の総数は４９１個である。
【００５３】
次に、レンズ部６１の断面形状について説明する。図１４は、照明装置１００の集光カバー６０におけるレンズ部６１と導光板４０における凹状反射部４４の断面を示す模式図である。導光板４０の板厚ｔ1は、上述したように約１．５ｍｍ、集光カバー６０の最大厚みは２．５ｍｍである。図１２に示すように導光板４０と集光カバー６０とは、各々凹状反射部４４からレンズ部６１に至る光路において互いに接している部分を有する。レンズ部６１は、図１４に示すように、レンズ面６１０の頂点６１０Ａを通りＺ軸と平行な中心軸６１Ａと導光板４０の裏面４１１との交点６１０Ｂを中心とした非球面形状からなるレンズ面６１０を有する。レンズ面６１０の半径ｒは、導光板４０の裏面４１１からレンズ面６１０の頂点６１０Ａまでの距離をｔ2、屈折率をｎとしたとき、中心軸４４Ａとの角度θの関数として次式で規定される。
【００５４】
ｒ＝（ｎ−１）×ｔ2／（ｎ−ｃｏｓθ）
尚、本実施の形態では、ｔ2は、４．０ｍｍ、ｎは、１．４９１とした。
（レンズ部６１と凹状反射部４４との位置ずれ配置（オフセット））
照明装置１０では、導光板４０及び集光カバー６０の中心では、凹状反射部４４は、円錐の中心線が、集光カバー６０に設けられたレンズ部６０の中心線と各々が一致する位置に配置されている。他方、導光板４０及び集光カバー６０の中心を除く位置では、図１４に示すように、レンズ部６１の中心軸６１Ａと、凹状反射部４４における円錐の中心軸４４Ａとは、Ｘ方向に距離ｄだけ位置がずれて配置されている。
【００５５】
図１５は、照明器具１の導光板４０の凹状反射部４４のＸＹ方向の配置を集光カバー６０のレンズ部６１のＸＹ方向の配置と重ねて示した説明図である。図１５に示すように、レンズ部６１は、上述のとおり、レンズ領域６３の中心６００Ａを基準に、半径方向のピッチをＰ61とする同心円の円周状にレンズ部６１の中心軸６１Ａが位置するように配置される。これに対し、凹状反射部４４は、同じく中心６００Ａを基準に、半径方向のピッチをＰ44とする同心円の円周状に凹状反射部４４の円錐の中心軸４４Ａが位置するように配置される。
【００５６】
中心６００Ａを基準とする半径方向においては、凹状反射部４４の中心軸４４Ａは、最も近接するレンズ部６１の中心６１Ａと中心６００Ａとを結ぶ直線上に位置する。
本実施の形態では、中心６００Ａから１列目の円周上には凹状反射部４４が６個配置され、２列目の円周上には凹状反射部４４が１３個配置される構成を採る。また、環内部４１における、凹状反射部４４の総数はレンズ部６１と同じく４９１個である。
【００５７】
図１６は、図７におけるＤ部を示す拡大断面図である。
図１６に示すように、集光カバー６０の中心６００Ａにおいては、レンズ部６１の中心軸６１Ａは、凹状反射部４４の中心軸４４Ａと同じ中心６００Ａに位置する。
次に、凹状反射部４４の半径方向のピッチをＰ44は、中心６００Ａからの距離にかかわらず一定である。また、レンズ部６１の半径方向のピッチをＰ61も、中心６００Ａからの距離にかかわらず一定である。そして、凹状反射部４４のピッチをＰ44は、レンズ部６１のピッチをＰ61よりも小さく設定されている。本実施の形態では、一例として、レンズ部６１のピッチをＰ61は３．０５ｍｍ、凹状反射部４４のピッチをＰ44は、３．０２２ｍｍから３．０３４ｍｍとした。しかしながら、各ピッチの値は上記に限られず適宜選択可能である。これにより、レンズ部６１の中心軸６１Ａは、凹状反射部４４の中心軸４４Ａよりも、半径方向の外側に位置する。中心６００Ａを中止とする同心円における中心６００Ａから１列目の円周上では、ピッチをＰ61とピッチをＰ44との差ｄに相当する長さだけレンズ部６１の中心軸６１Ａは、凹状反射部４４の中心軸４４Ａよりも半径方向の外側に位置する。この両方の中心の半径方向における距離をずれ量（オフセット量）ｄ1とする。
【００５８】
同様に、中心６００Ａから２列目の円周上では、ピッチをＰ61とピッチをＰ44との差ｄの２倍に相当する長さだけレンズ部６１の中心軸６１Ａは、凹状反射部４４の中心軸４４Ａよりも半径方向の外側に位置する。この両方の中心の半径方向における距離をずれ量ｄ2とする。
また、中心６００Ａから３列目の円周上では、ピッチをＰ61とピッチをＰ44との差ｄの３倍に相当する長さだけレンズ部６１の中心軸６１Ａは、凹状反射部４４の中心軸４４Ａよりも半径方向の外側に位置する。この両方の中心の半径方向における距離をずれ量ｄ3とする。
【００５９】
このように、ずれ量ｄnは、集光カバー６０の中心６００Ａにおいて０であり、中心６００Ａからレンズ部６１までの距離に基づいて定まり、中心６００Ａからレンズ領域６３の周縁部６４に向けて増加している。
以上説明したように、本実施の形態では、環内部４１の中心Ｏ付近から周縁までに存する凹状反射部４４の中心位置４４Ａは、各々が光学的な対向関係を有するレンズ部６１の中心位置６１Ａよりも、環内部４１の半径方向中心Ｏに近づくように位置がずれて配置されている。また、環内部４１の周縁付近に存する凹状反射部４４の位置は、前記環内部の中心付近に存する凹状反射部４４の位置よりもずれの量が大きい。また、ずれの量は、環状部４１の中心Ｏから周縁に向けて漸次増加している構成を採る。
【００６０】
（拡散カバー５０）
拡散カバー５０は、導光板４０の環状外周部４３からの出射光をさらに散乱させることにより均一な輝度分布の面発光を得る目的で配設する。拡散カバー５０は透光性材料、例えばシリコーン樹脂、アクリル樹脂、ポリカーボネート樹脂、ガラス等の何れかを用いて構成される。
【００６１】
図７及び図１３に示すように、集光カバー６０は、集光カバー６０のレンズ領域６３を露出させるための開口５３が中央部に形成された円環部５１を有する円環形状である。そして、円環部５１の周縁に側壁部５２を有し、側壁部５２をベース１０のフランジ部１２に嵌合させて照明装置１００は組立てられる。組み立てられた状態で円環部５１の表面５１０は照明器具１の外観を構成する。このとき、拡散カバー５０の裏面５１１は集光カバー６０の周縁部６４を当接し、集光カバー６０を導光板４０に圧接する。また、裏面５１１に立設されたリブ５４は、導光板４０の環状外周部４３の出射面４３０に当接し、導光板４０をベース１０に圧接する。拡散カバー５０の側壁部５２とベース１０のフランジ部１２とは図示しない樹脂バネ等によって固定される。図７において、符号Ｗ53で示す範囲が開口５３であり、本実施の形態では、は約８０ｍｍである。
【００６２】
円環部５１には光散乱処理が施され、導光板４０の環状外周部４３からの出射光を効率よく散乱するように調整される。光散乱処理としては、例えば導光板４０と対向する円環部５１の表面を微細に凹凸処理することが挙げられる。
＜照明装置１００の動作＞
以上の構成を有する照明装置１００をユーザが使用する際は、照明装置１００に電源投入する。照明装置１００では、商業用電源に接続された電源ユニット４から配線２３を介して各発光素子２２に電力供給がなされる。これにより各発光素子２２から出射光が生ずる。
【００６３】
発光素子２２の出射光は、反射部材３０の開口３４を介し、素子対向部４２０より導光板４０の環状部４２内部に入射する。入射光は導光板４０の内部で正反射を繰り返し、環内部４１と環状外周部４３の両方の内部に拡散する。また、導光板４０より下方に漏れ出た光は反射部材３０の上面３１０、３３０（図８）において反射され、再度、導光板４０側に入射される。
【００６４】
導光板４０の裏面４１１に形成された凹状反射部４４によって出射面４１０の方向に反射された発光素子２２の出射光は、導光板４０の出射面側から出射されて集光カバー６０に入射される。入射光は集光カバー６０のレンズ部６１により照明光として主出射方向の対象面に集光される。
他方、導光板４０の裏面４３１に形成された凹状反射部４５によって出射面４３０の方向に反射された発光素子２２の出射光は、導光板４０の上面側から出射され拡散カバー５０に入射される。入射光は光散乱処理された拡散カバー５０の円環部５１でさらに拡散され、最終的に照明光として外部に出射される。
【００６５】
以上、説明したとおり、本実施の形態の照明装置１００により、拡散カバー５０から照射される円環状の拡散光の内周側を通り、集光カバー６０から円板状のスポット光が対象面に向けて照射される。
＜照明装置１００で奏される効果＞
照明装置１００を駆動させた場合、以下に挙げる諸効果を期待することができる。
【００６６】
（照明装置１００の薄型化に関する効果）
図２７に示した従来の照明装置８００では、例えば照度分布において上述のとおり１／２ビーム角を±４５°以内に設定する場合、蛍光体層８０２２の径を６０ｍｍとすると、フレネルレンズ８０３の径は１６２ｍｍとなる。このとき、発光素子８０２１とフレネルレンズ８０３との間の光路（距離Ｙ0）として２７ｍｍを確保しなければならない。これにより照明装置８００において薄型化を図ることは困難である。
【００６７】
これに対して照明装置１００では、各凹状反射部４４の真上（Ｚ）方向に位置する上レンズ部６１に対し、各凹状反射部４４より近距離より平行光を入射できる。従って、照明器具１の厚み（Ｚ）方向における発光素子２２と集光カバー５０との間の光路を比較的短くできる。これにより照明器具１の厚みＹ1を１８ｍｍ程度以下にまで抑制でき、照明装置１００の薄型化を良好に図ることが可能である。
【００６８】
（配向特性に関する効果）
［具体的効果］
図１７は、照明装置１００における導光板４０と集光カバー６０における集光原理の説明図であり、（ａ）は集光カバー６０の中央部付近、（ｂ）は左端周辺部、（ｃ）は右端周辺部、（ｄ）は全体の総和を示す。図１７（ａ）に示すように、発光素子２２の出射光は導光板４０の裏面４１１に形成された凹状反射部４４によって出射面４１０の方向に反射される。そのとき、凹状反射部４４の反射面は中心軸４４Ａからずれた位置にあり、そこから反射される光、例えばｓ１、ｓ２、ｓ３、ｓ４或はｔ１、ｔ２、ｔ３、ｔ４の光は集光カバー９６０に入射後、レンズ部９６１により主出射方向前方に対して傾いた光に変換される。そのため、円推形状の凹状反射部４４から出射される光の強度のピークは配向角０°から少しずれた位置に形成される。例えば、凹状反射部９４４における円錐の底面の直径が０．８の場合、配向角約±５°の角度に出射光の強度のピークが発生する。
【００６９】
ここで、集光カバー６０の中央部付近では発光素子９２２からの距離は左右でほぼ等しく、凹状反射部４４に入光する光は左右ほぼ等しい。そのため、対象面上には均等な２つの照度のピークが形成される。このピーク間距離Ｘ0は、例えば約２ｍの距離Ｚ2000の位置にある対称面上において数十ｃｍとなる。
次に、図１７（ｂ）は、集光カバー６０の左端周辺部を示している。左端周辺部では、集光カバー６０の左端部周辺では発光素子２２からの距離が左右で異なり、左側の発光素子２２からの距離が短く、右側の発光素子２２からの距離が大きい。そのため、左側から凹状反射部４４に入光する光は、右側から入光する光に比べて光束が大きい。照明装置１００では、集光カバー６０の左端周辺部では、レンズ部６１の中心軸６１Ａは、凹状反射部４４の中心軸４４Ａに対し左方に距離ｄだけ位置がずれて配置されている構成を採る。したがって、凹状反射部４４の反射面は中心軸４４Ａからは左方にずれた位置にあるものの、レンズ部６１の中心軸６１Ａの直下又は微小な距離だけ右方にずれた位置にある。それゆえ、左側から凹状反射部４４に入光し反射される光、例えばｕ１、ｕ２、ｕ３、ｕ４の光は集光カバー６０に入射後、レンズ部６１により主出射方向前方に垂直な光に変換される。そのため、集光カバー６０の左端部周辺に位置する導光板４０の凹状反射部４４で反射された光は、５°以下の角度θ1に集光され、対象面上には角度θ1にのみ照度のピークが形成される。
【００７０】
次に、図１７（ｃ）は、集光カバー６０の右端周辺部を示している。右端周辺部では、集光カバー６０の右端部周辺では発光素子２２からの距離が左右で異なり、右側の発光素子２２からの距離が短く、左側の発光素子２２からの距離が大きい。そのため、右側から凹状反射部４４に入光する光は、左側から入光する光に比べて光束が大きい。照明装置１００では、集光カバー６０の右端周辺部では、レンズ部６１の中心軸６１Ａは、凹状反射部４４の中心軸４４Ａに対し右方に距離ｄだけ位置がずれて配置されている構成を採る。したがって、凹状反射部４４の反射面は中心軸４４Ａからは右方にずれた位置にあるものの、レンズ部６１の中心軸６１Ａの直下又は微小な距離だけ左方にずれた位置にある。それゆえ、右側から凹状反射部４４に入光し反射される光、例えばｖ１、ｖ２、ｖ３、ｖ４の光は集光カバー６０に入射後、レンズ部６１により主出射方向前方に垂直な光に変換される。そのため、集光カバー６０の右端部周辺に位置する導光板４０の凹状反射部４４で反射された光は、５°以下の角度−θ1に集光され、対象面上には角度−θ1にのみ照度のピークが形成される。
【００７１】
そして、図１７（ａ）ないしは（ｃ）に示す照度分布を重畳すると、照明装置１００として、図１７（ｄ）に示すような、対象面上には角度０°に照度のピークを有する照度分布が形成される。
［性能確認結果１］
照明装置１００における集光カバー６０のレンズ領域６３内の位置ごとの配向特性の変化について、光学シミュレーションによる計算を行った。図１８は、照明装置１００のレンズ領域６３内の位置ごとの配向特性の計算に用いたマスキングパターン７００を示す模式図である。マスキングパターン７００は、中心から距離ｒだけ離れた位置に中心がある直径２０ｍｍの開口７１０を有する直径８０ｍｍの円板形状のマスク領域７２０を有する。このマスク領域７２０を集光カバー６０のレンズ領域６３に位置合わせした状態を想定し、照明装置１００における開口部分から照射される照明光の配向特性を光学シミュレーションにより求めた。
【００７２】
図１９は、照明装置１００の配向特性の計算結果を示す特性図である。図１９（ａ）は導光板４０の環内部４１の中心からφ２０ｍｍ範囲からの照明光を、（ｂ）は環内部４１の中心から１０ｍｍ離れた位置を中心とするφ２０ｍｍ範囲からの照明光を（ｃ）は２０ｍｍ離れた位置を中心とするφ２０ｍｍ範囲からの照明光、（ｄ）は３０ｍｍ離れた位置を中心とするφ２０ｍｍ範囲からの照明光の配向特性を各々示す。レンズ部６１のピッチをＰ61は３．０５ｍｍ、凹状反射部４４のピッチをＰ44は、３．０２４ｍｍとした。それぞれの特性図は、図１８におけるＸ方向における配向特性を示したものである。
【００７３】
図１９（ａ）に示す中心からφ２０ｍｍ範囲からの照明光では、配向角±８°に各々照度のピークがあり配向角０°付近に照度の落ち込みがある。図１９（ｂ）に示す中心から１０ｍｍ離れた位置を中心とするφ２０ｍｍ範囲からの照明光では、２つの照度のピークとその間の照度の落ち込みは右方に移動するとともに、左側のピークにおける照度は増加し右側のピークにおける照度は減少する。図１９（ｃ）に示す中心から２０ｍｍ離れた位置を中心とするφ２０ｍｍ範囲からの照明光では、２つのピークとその間の落ち込みはさらに右方に移動し、左側のピークにおける照度はさらに増加し右側のピークにおける照度はさらに減少する。そして、中心から３０ｍｍ離れた位置を中心とするφ２０ｍｍ範囲からの配向特性を示す図１９（ｄ）では、配向角０°付近での照度の落ち込みは解消し、左側の照度ピークが配向角０°付近に位置し、右側のピークにおける照度値はさらに減少する。
【００７４】
このように、中心から各々１０ｍｍ、２０ｍｍ、３０ｍｍ離れた位置を中心とするφ２０ｍｍ範囲からの照明光では、照度の落ち込みは、中心からの距離ｒの増加に伴って右方に移動する。
次に、照明装置１００における集光カバー６０全面から照射される光の配向特性について、マスキングパターン７００を外した条件で光学シミュレーションによる計算を行った。図２０は、照明装置１００における集光カバー６０全面から照射される光の配向特性を示す特性図である。図２０に示すように配向角０°に単一のピークを有する照度分布が得られる。このように、集光カバーの異なる位置から出射される光の配向特性を異ならせて、各々の照度分布における凹凸が互いに補完されるように重畳させる。これにより、配向角０°付近での照度の落ち込みを改善でき、配向角０°に単一のピークを有する照度分布が得られる。
【００７５】
［性能確認結果２］
照明装置１００におけるレンズ部６１のピッチをＰ61は３．０５ｍｍとし、凹状反射部４４のピッチをＰ44を、３．０３４ｍｍから３．０２２ｍｍまで変化させて、配向特性の変化について、光学シミュレーションによる計算を行った。図２１は、照明装置１００において、レンズ部６１のピッチＰ61に対する凹状反射部４４のピッチをＰ44比率を変化させた場合の集光カバー６０全面から照射される光の配向特性の変化を示す特性図である。図中の括弧内に、ピッチＰ61に対するピッチをＰ44の比率を示す。配向角０°における照度のピークは、ピッチＰ61に対するピッチＰ44の比率が９９．４８％から減少するのに伴い増加し、９９．１５％のときに最大となる。また、９９．２４％以下９９．０８％以上において照度分布は凹凸のない連続的な曲線を示す。
【００７６】
［性能確認結果３］
照明装置１００の配向特性について、光学シミュレーションによる計算を行った。図２２は、照明装置１００の配向特性の計算結果を示す特性図である。図２２（ａ）は、中心Ｏに照明装置１００を設置し０°方向を主出射方向として点灯させ、光源の前方２ｍにある対象面を照射したときの照度の分布を円周方向に配向角、半径方向を照度として円周座標上に示した特性図である。また、（ｂ）は直交座標に示した特性図である。
【００７７】
照明装置１００におけるレンズ部６１のピッチをＰ61は１．８ｍｍ、凹状反射部４４のピッチをＰ44は、１．７９５ｍｍ、導光板４０の厚みｔ1を１．５ｍｍとした。
同様に、比較例としてレンズ部６１のピッチをＰ61と凹状反射部４４のピッチを等価とした場合の光学シミュレーションによる計算を行った。図２３は、照明装置１００の比較例の配向特性の計算結果を示す特性図である。比較例では、レンズ部６１のピッチをＰ61と凹状反射部４４のピッチをＰ44は１．８ｍｍ、導光板４０の厚みｔ1は１．５ｍｍとした。その他の条件は照明装置１００と同じである。
【００７８】
図２２（ａ）及び（ｂ）に示すように、照明装置１００では、配向性を評価するための尺度のひとつである１／２ビーム角θ1は１８°となった。比較例では１／２ビーム角θ2は２５°であった。ここで、１／２ビーム角とは、光源の直下照度の１／２の照度になる点と光源中心を結んだ線と、光源中心の鉛直方向線とのなす角度を指し配光の度合いを示す。従来のフレネルレンズを用いた集光型の照明装置では、１／２ビーム角は４５°であった（特許文献１）。これに対し、照明装置１００では、１／２ビーム角を１８°に低減することができる。また、比較例に対しても、２５°であった１／２ビーム角を、上述したように１８°に低減することができる。
【００７９】
また、図２２（ａ）及び（ｂ）に示すように、照明装置１００では、図２３（ａ）及び（ｂ）において示される、比較例における、配向角０°付近での照度の落ち込みを解消することができる。
同様に、照明装置１００において、レンズ部６１のピッチＰ61と凹状反射部４４のピッチをＰ44は共に拡大した場合の光学シミュレーションによる計算を行った。図２４は、照明装置１００の配向特性の計算結果を示す特性図である。照明装置１００におけるレンズ部６１のピッチをＰ61は３．０５ｍｍ、凹状反射部４４のピッチをＰ44は、３．０３ｍｍ、導光板４０の厚みｔ1を１．５ｍｍとした。
【００８０】
図２４（ａ）及び（ｂ）に示すように、照明装置１００では、１／２ビーム角θ3は１８°となり、θ1と同じになった。
さらに、図２４では、図２２及び図２３において見られた配向角±４０°から４５°において見られた照度３００ｃｄ程度のピークが解消していることが確認された。配向角±４０°から４５°に存するピークは、凹状反射部４４からの反射光が凹状反射部４４と個別に光学的な対向関係を有するレンズ部６１の周囲のレンズ部６１に入光することによって発生すると考えられる。図２４の条件では、レンズ部６１のピッチＰ61と凹状反射部４４のピッチをＰ44は共に拡大し、導光板４０の厚ｔ1（１．５ｍｍ）に対するＰ61とＰ44の比率を約２以上に増加させた。これにより、周囲のレンズ部６１に入光することを防止でき、配向角±４０°から４５°付近に生じる照度３００ｃｄ程度のピークを解消できたと考えられる。また導光板４０における凹状反射部４４の半径方向のピッチは、導光板の厚ｔ1みの１．５倍以上２．５倍以下、より好ましくは２以上２．５倍以下であることが好ましい。導光板４０の厚ｔ1が厚くなると、それに伴い、導光板４０における凹状反射部４４の半径方向のピッチが大きくなるため、単位面積当たりの導光板４０における凹状反射部４４の面積比率が小さくなり、放射強度（全光束）が小さくなる。したがって、導光板４０の厚ｔ1は、配向角±４０°から４５°付近に生じる照度ピークを解消したうえで出来るだけ薄くすることが望まれる。
【００８１】
（小括）
以上、説明したとおり、照明装置１００では、上記した構成におり、集光型の照明装置において、配向角０°付近での照度の落ち込みを解消しつつ、１／２照度角１８°の配向角を実現することができた。また、配向角±４０°から４５°付近に生じる照度ピークの解消を図ることができた。本方式を採ることにより、薄型であって狭配向を実現可能な照明装置を提供することが可能となる。
【００８２】
≪変形例≫
以上、実施の形態に係る照明装置１００について説明したが、例示した照明装置１００を以下のように変形することも可能であり、本発明が上述の実施の形態で示した通りの照明装置１００に限られないことは勿論である。
上記した実施の形態に係る照明装置１００では、凹状反射部４４は、図１２に示すように高さｈを一定とする構成とした。しかしながら、凹状反射部４４の高さをレンズ領域６３の場所によって異なるような構成としてもよい。
【００８３】
図２５は、変形例に係る照明装置１００Ａにおいて、照明装置１００に係る図７のＤ部と同じ部分を示す拡大断面図である。照明装置１００Ａでは、凹状反射部４４の高さｈは、集光カバー６０の中心６００Ａからレンズ領域６３の周縁６４に向けて増加し、高さｈは中心６００Ａから凹状反射部４４までの距離に基づいて定まる構成とした。すなわち、凹状反射部４４の高さｈは、中心６００Ａからｎ列目の円周上の凹状反射部４４の高さをｈｉとすると、図２５に示すように、ｈ0＜ｈ1＜ｈ2＜ｈ3＜ｈ4＜ｈ5＜ｈ6となるよう構成されている。すなわち、凹状反射部４４の高さは、導光板４０の中心で最も低く、中心から周縁付近にかけて漸次増加し、周縁付近で最も高く構成されている。その他の構成については、照明装置１００と同じであり説明を省略する。
＜照明装置１００Ａで奏される効果＞
照明装置１００Ａを駆動させた場合、以下に挙げる諸効果を期待することができる。
【００８４】
（配向特性について）
［具体的効果］
図２６は、変形例に係る照明装置１００Ａにおける導光板４０と集光カバー６０における集光原理の説明図であり、（ａ）は比較例における集光カバー６０の中央部付近、（ｂ）は変形例における中央部付近、（ｃ）は変形例における周辺部の状態を示す。
【００８５】
凹状反射部４４の大きさは反射光の光束に影響し、凹状反射部４４のサイズが大きい方が反射光の光束は大きく照明装置として効率は高い。凹状反射部４４のサイズは、円錐形状の凹状反射部４４における円錐の高さと底面の半径で表される。しかしながら、図２７（ａ）に示すように、集光カバー６０の中央部付近では、凹状反射部４４のサイズが大きく底面の半径が大きい場合、反射光はレンズ部６１の周辺部に入光し配向角は拡大する。これは、凹状反射部４４の反射面のレンズ部６１の中心軸６１Ａに対する位置ずれ量δが大きいためである。
【００８６】
変形例では、図２７（ｂ）に示すように、集光カバー６０の中央部付近では凹状反射部４４のサイズを縮小することにより底面の半径を縮小し、凹状反射部４４の反射面のレンズ部６１の中心軸６１Ａに対する位置ずれ量δを減少した。これにより、レンズ部６１の周辺部への入光を防止し配向角の拡大を防止した。
他方、集光カバー６０の周辺部付近では、上述したように凹状反射部４４の中心軸４４Ａはレンズ部６１の中心軸６１Ａに対して半径方向中心方向にオフセットされている。また、集光カバー６０の周縁部付近では、図２７（ｃ）において、左側に存在する光源との距離が近く、実線で示す矢印からの光線の強度が、点線で示す矢印の光線の強度よりも高くなる。そのため、凹状反射部４４のサイズが大きく底面の半径が大きい場合であっても、凹状反射部４４の反射面のレンズ部６１の中心軸６１Ａに対する位置ずれ量δは小さい。したがって、図２７（ｃ）に示すように、変形例では、集光カバー６０の周縁部付近では、凹状反射部４４のサイズを中央部と比較して拡大した構成とした。これにより、集光カバー６０の周辺部付近では、凹状反射部４４のサイズを拡大しつつ、レンズ部６１の周辺部への入光を防止しる配向角の拡大を防止することができる。
【００８７】
その結果、変形例に係る照明装置１００Ａでは実施の形態に係る照明装置１００と同等の狭配向を実現しつつ照明装置として効率を向上することができる。
≪まとめ≫
以上、説明したように、本実施の形態に係る照明装置１００は、複数の発光素子が基板上に環状に配列された発光部と、前記発光部の発光素子列と対峙する光導入部と導入した光を環内側方向に導光する円板状の環内導光部とを有した導光板と、前記導光板の一方の主面側に配された円板状の集光カバーと、
を備え、前記導光板は、導光されてきた光を複数個所において前記主面に向けて光路変更するために、前記主面と背向する裏面を凹入した複数の凹状反射部を有し、前記集光カバーは、前記複数の凹状反射部の各々と個別に光学的な対向関係を保って配置され且つ前記各々の凹状反射部からの反射光を前記主面に垂直な主出射方向に集光する複数のレンズ部を有し、前記凹状反射部と前記レンズ部との個別光学的対向関係は、対向関係にある凹状反射部とレンズ部において、凹状反射部の中心位置がレンズ部の中心軸よりも環内導光部の中心に近づくようにズレており、且つ、そのズレ量が環内導光部の周縁に近いものほど環内導光部の中心に存するものよりも大きく調整されていることを特徴とする。
【００８８】
かかる構成により、本発明の一態様に係る照明装置では、上記構成により、発光素子からレンズ部に至る光路の短縮を図れる。この光路の短縮によって照明装置の薄型化を実現できる。さらに、集光カバーの異なる位置から出射される光の配向特性を異ならせて、各々の照度分布における凹凸が互いに補完されるように重畳させることができ、配向角０°付近での照度の落ち込みを改善できる。
【００８９】
また、別の態様では、前記ずれの量は、前記環内導光部の中心から周縁に向けて漸次増加している構成であってもよい。
かかる構成により、配向角０°に単一のピークを有する連続的な照度分布を実現できる。
また、別の態様では、前記凹状反射部は、前記環内導光部の半径方向に第１の間隔をなす複数の円周からなる第１の同心円の各円周上に配置され、前記レンズ部は、前記集光カバーの半径方向に第２の間隔をなす複数の円周からなる第２の同心円の各円周上に配置され、前記第１の同心円の中心位置と第２の同心円の中心位置とは前記主出射方向において重なり、前記第１の間隔は、前記第２の間隔よりも小さい構成であってもよい。
【００９０】
かかる構成により、前記凹状反部のずれ量は、前記環状部の中心から外縁に向けて漸次増加している構成を容易に実現することができる。
また、別の態様では、前記第１の間隔は、前記導光板の厚みの１．５倍以上２．５倍以下である構成であってもよい。
かかる構成により、配向角±４０°から４５°付近に生じる照度ピークの解消することができる。
【００９１】
また、別の態様では、前記各凹状反射部は前記主面側に頂部を向けた円錐形状であり、前記環内部の周縁付近にある前記凹状部は前記環内部の中心付近にある前記凹状反射部よりも円錐の高さが高い構成であってもよい。
かかる構成により、
狭配向を維持しつつ照明装置として効率を向上することができる。
【００９２】
≪その他の事項≫
（１）本発明に係る照明装置は、天井に埋設するシーリングライトに限定されない。その他の設置方法で設置されるシーリングライトの他、ダウンライト、バックライトなど照明用途全般に広く利用可能である。
（２）本実施の形態に係る照明装置１００では、掛止部材３は必須ではない。照明器具１はネジ止めやリベット、接着等を用いて天井に固定してもよい。
【００９３】
（３）照明装置１００の一部が天井２の貫通孔２ａに挿入される構成とした。しかしながら、照明装置１００は厚みが薄いために、貫通孔２ａを設けずに、天井２の天井面に配設することもできる。その場合、ネジ等の締結部材、接着剤又は両面テープ等を用いて照明装置１００を天井面に取り付けることができる。
（４）照明装置１００では、電源ユニット４と照明器具１とを別個の構成としたが、本発明はこの構造に限定されない。すなわち本発明の照明装置は、照明器具１が電源ユニット４を内蔵してなる構成としてもよい。
【００９４】
（５）発光素子２２は、例えば、ＬＤ（レーザダイオード）や、ＥＬ素子（エレクトリックルミネッセンス素子）であってもよい。また本発明に係る発光素子としては、ＳＭＤ（Ｓｕｒｆａｃｅ  Ｍｏｕｎｔ  Ｄｅｖｉｃｅ）型でもよい。
（６）導光板４０は、反射部材３０との対向面を平坦面としたが、微小なレンズを複数設けて導光板内を通る光の反射特性を変化させてもよい。これにより導光板の導光効果を向上させることができる。
【００９５】
（７）実装基板２０の上方に設ける板状部材として反射部材３０を例示した。しかしながら実装基板２０の上方に設ける板状部材は反射部材を用いることは必須ではない。すなわち、板状部材に反射性を有さない部材とすることもできる。また、実装基板２０の上方であって導光板４０の下方に部材を挟挿しない構成であってもよい。
（８）照明装置１００を円板状としているが、照明装置１００は円板状に限定されない。例えば複数の発光素子を列状に配列させて、長尺状又は矩形状の照明装置を構成してもよい。この場合、ベース、反射部材、導光板、集光カバーを実装基板と同様に長尺状又は矩形状に構成する。そして、長尺状又は矩形状の導光板の長辺又は短辺の近傍に入光部を設け、列状の発光素子列を入光部に対向させて配置することにより実現できる。あるいは、長辺と短辺の両方に入光部を設けて発光素子列を対向させてもよい。
【００９６】
（９）照明装置１００では、レンズ部６１は、レンズ面６１０の頂点６１０Ａを通りＺ軸と平行な中心軸６１Ａと導光板４０の裏面４１１との交点６１０Ｂを中心とした非球面形状からなるレンズ面６１０を有する構成とした。しかしながら、レンズ部６１は、照明光を対象面に集光されることができる形状であれば良く、例えば、球面レンズやフレネル形状他の構成を用いてもよい。
【００９７】
（１０）照明装置１００では、レンズ部６１は、集光カバー６０において導光板４０側と反対に位置する側の面に形成する構成とした。しかしながら、レンズ部６１を形成する面は、照明光を対象面に集光されることができる形状であれば良く、例えば、導光板４０側と反対に位置する側の裏面６５に形成してもよい。この場合は、照明装置１００の外観にレンズ部６１が現れず、集光型の照明装置において拡散型の照明装置に近い意匠を実現することができる。また、レンズ部６１を凹状反射部４４に近接させることができ更なる薄型化を図ることができる。
【００９８】
（１１）照明装置１００では、凹状反射部４４は、導光板４０において集光カバー６０と反対に位置する側の面４１１に形成する構成とした。しかしながら、凹状反射部４４を形成する面は、照明光を対象面に集光されることができる構成ればよい。例えば、光反射部が裏側の裏面４１１、４３１ではなく表側の出射面４１０、４３０に施されていてもよいし、裏側の裏面４１１、４３１と表側の出射面４１０、４３０の両方に施されていてもよい。導光板４０の集光中心軸６１Ａカバー６０側に凹状反射部４４を形成した場合は、凹状反射部４４をレンズ部６１に近接させることができ更なる薄型化を図ることができる。但し、環内部４１の表側の出射面４１０および環状外周部４３の表側の出射面４３０の全体から、均一に光が出射するような態様であることが好ましい。
【００９９】
また、光反射部として凹部ではなく凸部が設けられていてもよいし、凹部と凸部の両方が設けられていてもよい。
また、本発明に係る導光板は、円形板状に限定されず任意である。例えば、四角形板状、六角形板状、八角形板状等のような多角形の板状であってもよい。また、環状部、環内部、環状外周部、素子列対向部分、内側反射部、外側反射部、内側側面部、および外側側面部の各形状も、導光板の形状に応じて任意である。さらに、発光素子の配列や基板の形状も導光板の形状に応じて任意である。
【符号の説明】
【０１００】
１  照明器具
１０  ベース
１１  本体部
１２  フランジ部
１３  内側底部
１４  側壁部
１５  外側底部
２０  実装基板（発光部）
２１  基板本体
２２  発光素子
３０  反射部材
３１  内側反射部
３２  凹入部
３３  外側反射部
３４  開口
４０  導光板
４１  環内部（環内導光部）
４２  環状部
４３  環状外周部（環状導光部）
４４、４５  凹状反射部
５０  拡散カバー
５１  円環部
５２  側壁部
５３  開口
６０  集光カバー
６１  レンズ部
６２  凸部
６３  レンズ領域
１００、１００Ａ  照明装置
３１０、３３０  反射部材の上面
３４２、３４３  側壁
４２０  素子対向部（光導入部）
４２２Ａ、４２２Ｂ  反射部
４２３  境界部
４２４Ａ、４２４Ｂ  側面部
【図１】
2014165021.tif 000003
【図２】
2014165021.tif 000004
【図３】
2014165021.tif 000005
【図４】
2014165021.tif 000006
【図５】
2014165021.tif 000007
【図６】
2014165021.tif 000008
【図７】
2014165021.tif 000009
【図８】
2014165021.tif 000010
【図９】
2014165021.tif 000011
【図１０】
2014165021.tif 000012
【図１１】
2014165021.tif 000013
【図１２】
2014165021.tif 000014
【図１３】
2014165021.tif 000015
【図１４】
2014165021.tif 000016
【図１５】
2014165021.tif 000017
【図１６】
2014165021.tif 000018
【図１７】
2014165021.tif 000019
【図１８】
2014165021.tif 000020
【図１９】
2014165021.tif 000021
【図２０】
2014165021.tif 000022
【図２１】
2014165021.tif 000023
【図２２】
2014165021.tif 000024
【図２３】
2014165021.tif 000025
【図２４】
2014165021.tif 000026
【図２５】
2014165021.tif 000027
【図２６】
2014165021.tif 000028
【図２７】
2014165021.tif 000029